(57)【要約】【課題】カバーを開閉する際に、開く操作を容易に行うことができる刃物用カバーを提供することにある。【解決手段】剃刀用カバー１１は、腹部に設けた蝶番１２により開閉可能とした基板部１３と、蓋部１４とから構成されている。前記基板部１３と前記蓋部１４とは少なくとも剃刀１５の刃部１６を覆うように構成されており、支持板部１８が剃刀１５の柄１７の前半部を支え得るように基板部１３を後方へ延出して形成されている。また、前記支持板部１８には柄１７の背部２０に臨む押圧部２１が形成されており、該押圧部２１には剃刀１５の柄１７の側面より側方へ突出した突部としての突条２２が形成されている。【選択図】      図１
2005046191.tif 000002
【特許請求の範囲】
【請求項１】
刃物の刃部を覆うカバーであって、腹部に設けた蝶番により開閉可能とした基板部と蓋部とによって構成し、少なくとも刃物の刃部を覆うとともに、前記基板部を後方へ延出し、刃物の柄の少なくとも一部を支え得る支持部としたことを特徴とする刃物用カバー。
【請求項２】
前記支持部には、刃物の背部に臨む押圧部を設けた請求項１に記載の刃物用カバー。
【請求項３】
前記押圧部には、刃物の柄の側面より側方へ突出する突部を設けた請求項２に記載の刃物用カバー。
【発明の詳細な説明】
【０００１】
【発明の属する技術分野】
本発明は、例えば理美容用剃刀のカバー等の刃物用カバーに関するものである。
【０００２】
【従来の技術】
従来、刃物を使用しないとき、または刃物を持ち運ぶときなどに刃部を覆う刃物用カバーが用いられている。この種の刃物用カバーとしては、以下のようなものが知られている（例えば、特許文献１参照）。すなわち、刃物用カバーは、一対のカバー構成片の間に刃部挿入孔を形成したものであり、両カバー構成片は凹凸状の係合部により着脱可能に構成されている。また、一対のカバー構成片は刃物の刃部のみを覆うようになっている。
【０００３】
【特許文献１】
実開昭５７−９４４６８号公報（第１頁、図１）
【０００４】
【発明が解決しようとする課題】
ところが、上記従来構成の場合、一対のカバー構成片は刃物の刃部のみを覆う構成であった。このため、カバーは刃物の柄と離れており、カバーを開けるときに、一方の手の指を伸ばしてカバーを支持し、他方の手の指で開く操作をしなければならず、操作し難いという問題があった。
【０００５】
本発明は、このような従来技術に存在する問題点に着目してなされたものである。その目的とするところは、カバーを開閉する際に、開く操作を容易に行うことができる刃物用カバーを提供することにある。
【０００６】
【課題を解決するための手段】
上記問題点を解決するために、請求項１に記載の発明の刃物用カバーは、刃物の刃部を覆うカバーであって、腹部に設けた蝶番により開閉可能とした基板部と蓋部とによって構成し、少なくとも刃物の刃部を覆うとともに、前記基板部を後方へ延出し、刃物の柄の少なくとも一部を支え得る支持部としたものである。
【０００７】
請求項２に記載の発明の刃物用カバーは、請求項１に記載の刃物用カバーにおいて、前記支持部には、刃物の背部に臨む押圧部を設けたものである。
請求項３に記載の発明の刃物用カバーは、請求項２に記載の刃物用カバーにおいて、前記押圧部には、刃物の柄の側面より側方へ突出する突部を設けたものである。
【０００８】
【発明の実施の形態】
以下、本発明を剃刀用カバーに具体化した一実施形態について図面に基づいて詳細に説明する。
【０００９】
図１に示すように、刃物用カバーとしての剃刀用カバー１１は、腹部に設けた蝶番１２により開閉可能な基板部１３と、該基板部１３に重合される蓋部１４とから構成されている。基板部１３と蓋部１４とは透明な合成樹脂により形成され、刃物としての剃刀１５の刃部１６を覆うように構成されている。剃刀１５は合成樹脂製の柄１７の前部に金属製の刃部１６が支持されて構成されている。前記基板部１３の後部には剃刀１５の柄１７の一部、すなわち前半部を支え得ることができる支持部としての支持板部１８が後方へ延出されている。基板部１３及び支持板部１８の周囲には、後端部と蝶番１２とを除き第１周壁１９が一定の高さで左側方（後方から前方を見て）へ突出形成されている。支持板部１８には、柄１７の背部２０に臨むように押圧部２１が左側方へ突出形成されており、押圧部２１を構成する突部としての突条２２が剃刀１５の柄１７の側面よりさらに左側方へ突出形成されている。該突条２２は突出端面が円弧面に形成されており、押圧部２１の内側面は柄１７の背部２０を係止するように構成されている。
【００１０】
図２及び図３（ａ）、（ｂ）に示すように、前記基板部１３の左側面には、剃刀１５の刃部１６の顎部２３が係合される横Ｌ字状の受け板２４が設けられている。基板部１３の左側面中央部には刃部１６を押さえるための一対の押さえ片２５がＵ字状に切込まれて形成され、各先端が正面円弧状をなすように左側方へ突出され、合成樹脂材の撓みによって刃部１６を押圧することができるようになっている。これらの押さえ片２５から僅かに蝶番１２側には、第１ガイド板２６が基板部１３に垂設され、基板部１３の長手方向に真直ぐ延びている。蓋部１４には、基板部１３の第１ガイド板２６と向かい合うように第２ガイド板２７が垂設され、剃刀１５を収納したときに、第１ガイド板２６との間で刃部１６の先端を挟持するように構成されている。すなわち、刃部１６は、基板部１３及び蓋部１４に触れることなく、基板部１３と蓋部１４間の空間に保持され、刃先が損傷を受けるのを防止できるようになっている。また、基板部１３の第１周壁１９内面には、刃部１６の背部２８が当接する第１規制板２９が左側方へ突設され、第１周壁１９前端内面には刃部１６の前面が当接する第２規制板３０が同様に左側方へ突設されている。第１周壁１９外面には、一定の長さにわたって凹設された係止凹部３１が設けられている。
【００１１】
一方、蓋部１４の周囲には、基板部１３同様の第２周壁３２が突出形成されている。該第２周壁３２の外面には、断面逆Ｌ字状をなす操作用つまみ３３が一定長さで突設され、該操作用つまみ３３の背面には円弧状のつまみ部３４が突出形成されている。操作用つまみ３３は前記基板部１３の係止凹部３１と係合できるようになっている。また、蓋部１４の蝶番１２側には乾燥用孔３５が長孔状に形成され、刃部１６を洗浄して剃刀用カバー１１内に収納したとき、刃部１６を乾燥させ、錆が発生するのを防止している。
【００１２】
図３（ｃ）及び図４に示すように、基板部１３の腹部には、蝶番１２を構成する一対の軸支部３６が前後一定の間隔をおいて設けられている。各軸支部３６には、その前半部又は後半部に設けられ、内面が円弧状をなす受け片３７と、該受け片３７とは１８０度反対側に設けられ、内面が円弧状をなす支持片３８とから構成されている。一方、蓋部１４の腹部には前後一対の円柱状をなす軸体３９が一定の空間部を介して設けられている。前記軸支部３６の受け片３７と支持片３８とは後方から見たとき、前後方向に前記軸体３９の直径より若干小さい開口部４０が形成され、その開口部４０から軸体３９が着脱されるようになっている。図３（ｂ）の二点鎖線に示すように、蓋部１４を最も開いたときには、その背面の係合面４１が基板部１３の側端面４２に当接し、その位置からさらに開く方向へ回転させると軸体３９が前記開口部４０から脱出するようになっている。
【００１３】
さて、剃刀１５を剃刀用カバー１１に収納する場合には、図５に示すように剃刀１５の刃部１６を基板部１３の受け板２４、第１規制板２９及び第２規制板３０それぞれに係合するように載せる。これにより、刃部１６が剃刀用カバー１１内で位置決め固定される。そして、蓋部１４に設けられている操作用つまみ３３を指で摘んで蝶番１２を中心にして回動させ、基板部１３の外面と蓋部１４の外面とを指で押さえ込むことによって、操作用つまみ３３を係止凹部３１に係止させる。これにより、図１及び図３（ａ）、（ｂ）に示すように、剃刀１５が剃刀用カバー１１に収納された状態になる。
【００１４】
剃刀１５を剃刀用カバー１１から取り出す場合には、図１及び図３（ａ）、（ｂ）に示す状態で、刃物の柄１７と支持板部１８とを同時に右手で把持する。次に、把持したまま右手の親指を押圧部２１の突条２２の突出端面内側に係止し、右側上方へ押圧する。それと同時に、左手の親指又は人差指で操作用つまみ３３を剃刀用カバー１１の左側方へ引張る。このとき、右手の親指を押圧部２１の突条２２の突出端面に掛けて基板部１３に蓋部１４とは逆方向へモーメントを強く作用させることができるため、操作用つまみ３３のみを押圧するときよりも操作用つまみ３３を係止凹部３１から軽い力で解除することができる。これは、押圧部２１に働くモーメントと、操作用つまみ３３に働くモーメントとが、互いに逆方向へ有効に作用しているからである。
【００１５】
次に、基板部１３と蓋部１４とを分離する場合には、図３（ｂ）の二点鎖線に示す位置まで蓋部１４を回動させ、該蓋部１４の係合面４１と基板部１３の側端面４２との係合部分を作用点とし、蓋部１４をさらに開く方向に力を加える。すると、図３（ｃ）及び図４に示すように、蓋部１４の軸体３９は基板部１３の軸支部３６の開口部４０から脱出し、蓋部１４を基板部１３から分離することができる。或いは、図２に示すように、基板部１３に対し蓋部１４を１８０度まで開き、蓋部１４と基板部１３とを逆方向に引張ることにより分離することもできる。
【００１６】
以上の実施形態によって発揮される効果について、以下に記載する。
・  本実施形態の剃刀用カバー１１には、基板部１３を後方へ延出し、剃刀１５の柄１７の一部を支え得る支持板部１８が設けられている。このため、剃刀１５の柄１７を支持板部１８とともに手で把持した状態で基板部１３に対し蓋部１４を開く操作を容易に行うことができる。
【００１７】
・  また、剃刀用カバー１１は、支持板部１８に柄１７の背部２０に臨むように押圧部２１が左側方へ突出形成されている。このため、剃刀用カバー１１を開けるときに、親指で押圧部２１を押圧することができ、開く操作をより容易に行うことができる。
【００１８】
・  加えて、剃刀用カバー１１は、支持板部１８の押圧部２１が剃刀１５の柄１７の側面よりさらに側方へ突出した突条２２が設けられている。このため、親指で突条２２を容易に押圧することができ、開く操作を一層容易に行うことができる。
【００１９】
・  剃刀用カバー１１には、支持板部１８が設けられているため、剃刀用カバー１１を開閉するときに、剃刀１５の柄１７と支持板部１８とを同時に右手で把持することができ、剃刀１５の飛出し、落下を防止することができる。
【００２０】
なお、上記実施形態は以下のように変更して具体化することも可能である。
・  基板部１３の支持板部１８は剃刀１５の柄１７の片面全面を支え得るように後方へ延出してもよい。
【００２１】
・  突条２２の突出端面を平坦面にしたり、指に沿うように凹状に形成したりしてもよい。
・  押圧部２１に設けられた突条２２を刃物の柄１７の側面と面一になるように形成してもよい。
【００２２】
・  剃刀１５を、ナイフ、包丁等に変更してもよい。
・  基板部１３と蓋部１４とを連結部分を介して合成樹脂により一体的に形成し、蝶番１２として連結部分を薄肉部で構成し、基板部１３と蓋部１４とを開閉可能にすることもできる。
【００２３】
さらに、前記実施形態より把握できる技術的思想について以下に記載する。
・  前記押圧部は刃物の柄の側面と面一になるように形成された突条である請求項２に記載の刃物用カバー。このように構成した場合、突条を押圧する方向へモーメントが作用し、刃物用カバーを開く操作を容易に行うことができる。
【００２４】
・  基板部及び支持部の周囲には、一定の高さで連なるように突出形成された周壁が設けられ、該周壁に押圧部を設けた請求項１に記載の刃物用カバー。このように構成した場合、刃物の刃部と、少なくとも一部の柄とを容易に囲うことができると同時に、押圧部の形成を容易に行うことができる。
【００２５】
【発明の効果】
以上詳述したように、本発明によれば次のような効果を奏することができる。
請求項１に記載の発明の刃物用カバーによれば、刃物用カバーを開閉する際に、開く操作を容易に行うことができる。
【００２６】
請求項２に記載の発明の刃物用カバーによれば、請求項１に記載の発明の効果に加えて、押圧部を指で押圧できるため、開く操作をより容易に行うことができる。
【００２７】
請求項３に記載の発明の刃物用カバーによれば、請求項２に記載の発明の効果に加えて、突部を指で簡単に押圧できるため、一層容易に刃物用カバーを開けることができる。
【図面の簡単な説明】
【図１】本実施形態の剃刀用カバーに剃刀を収納した状態を示す斜視図。
【図２】剃刀用カバー開けた状態を示す斜視図。
【図３】（ａ）は剃刀用カバーに剃刀を収納した状態を示す正面図、（ｂ）は図３（ａ）の３ｂ−３ｂ線における断面図、（ｃ）は図３（ａ）の３ｃ−３ｃ線における断面図。
【図４】剃刀用カバーを分離した状態を示す分解斜視図。
【図５】剃刀を剃刀用カバーの基板部に載せた状態を示す正面図。
【符号の説明】
１１…刃物用カバーとしての剃刀用カバー、１２…蝶番、１３…基板部、１４…蓋部、１５…刃物としての剃刀、１６…刃部、１７…柄、１８…支持部としての支持板部、２１…押圧部、２２…突部としての突条。
【図１】
2005046191.tif 000003
【図２】
2005046191.tif 000004
【図３】
2005046191.tif 000005
【図４】
2005046191.tif 000006
【図５】
2005046191.tif 000007